(57)【要約】      （修正有）【課題】机上に置いた名刺入れの上に載せた受領名刺が位置ずれ、滑り落ち、落下を起こさず、名刺入れの上に受領名刺を安定して保持できる名刺入れを提供する。【解決手段】１枚以上の名刺を収納する収納部１と、収納部から名刺を取り出すための開口部２と、開口部が露出するのを防止する被覆部３と、を有し、被覆部と収納部が開閉可能に連結された折り畳み式の名刺入れであって、面会者から受け取った受領名刺を保持するための保持具４を被覆部３の外面に設けて名刺入れを形成する。【選択図】図１
0003183371.tif 000002
【実用新案登録請求の範囲】
【請求項１】
１枚以上の名刺を収納する収納部と、該収納部から前記名刺を取り出すための開口部と、該開口部が露出するのを防止する被覆部と、を有し、該被覆部と前記収納部が開閉可能に連結された折り畳み式の名刺入れであって、面会者から受け取った受領名刺を保持するための保持具を前記被覆部の外面に設けたことを特徴とする名刺入れ。
【請求項２】
前記保持具を３角形状として前記収納部の外面の角部に設け、前記保持具の１辺を開放して前記受領名刺の挿入を可能とし、他の２辺を前記収納部の外縁に固定することを特徴とする請求項１に記載の名刺入れ。
【請求項３】
前記保持具を帯形状として前記収納部の外面の角部に設け、前記保持具の幅方向の両端部を開放して前記受領名刺の挿入を可能とし、前記保持具の長手方向の両端部を前記収納部の外縁に固定することを特徴とする請求項１に記載の名刺入れ。
【請求項４】
前記保持具を帯形状として前記収納部の外面の端部全長に設け、前記保持部の幅方向の片端部を開放して前記受領名刺の挿入を可能とし、前記保持具の幅方向の他端部と長手方向の両端部とを前記収納部の外縁に固定することを特徴とする請求項１に記載の名刺入れ。
【請求項５】
前記保持具を帯形状として先端部に磁石を装着し、前記被覆部の外面の前記磁石と対向する位置に磁着材を装着することを特徴とする請求項１に記載の名刺入れ。
【請求項６】
前記保持具として、弾力性を有する金属製クリップを着脱可能に前記被覆部の外面に装着することを特徴とする請求項１に記載の名刺入れ。
【考案の詳細な説明】
【技術分野】
【０００１】
本考案は、ビジネスマンが携帯する折り畳み式（いわゆる２つ折り）の名刺入れに関し、特に商談等で面会した初対面の人物（以下、面会者という）の名刺を載せて保持できる名刺入れに関するものである。
【背景技術】
【０００２】
折り畳み式の名刺入れは、多くのビジネスマンが自分の名刺を収納するために利用しており、商談等に携帯するものである。そして面会者と名刺を交換して挨拶するにあたって、自分の名刺を取り出して面会者に手渡す一方で、面会者から受け取った名刺（以下、受領名刺という）を、自分の名刺入れの上（すなわち外面）に載せ、名刺入れとともに机上に置いて商談を行なうことがビジネスの慣習となっている。
【０００３】
そのような名刺の交換において、自分の名刺を名刺入れから取り出すのに手間取って、面会者を待たせることはビシネスマナーに反する行為とされている。そこで、名刺を円滑に取り出せる名刺入れ（たとえば特許文献１）が開発されている。
一方で商談中は、机上の名刺入れの上に載せた受領名刺の位置がずれて、受領名刺が名刺入れから滑り落ちる、さらには床に落下するという問題が生じる。ビジネスの慣習では、受領名刺の位置ずれ、滑り落ち、落下は面会者の心象を害すると言われている。
【０００４】
特許文献１に開示された折り畳み式の名刺入れは、滑り止め剤を配置しており、その滑り止め剤を指先に付着させて名刺を円滑に取り出すことができる。ただし滑り止め剤は、乾燥や汚れを防止する必要があるので、名刺入れの内側に配置されている。したがって特許文献１に開示された名刺入れは、内側の滑り止め剤と外面に載せた受領名刺とが接触しないので、商談中に生じる受領名刺の位置ずれ、滑り落ち、落下を防止できない。
【０００５】
つまり従来の名刺入れは、商談中に名刺入れの外面に載せた受領名刺の位置がずれて、受領名刺が名刺入れから滑り落ちる、さらには床に落下するという問題を解決できない。
【先行技術文献】
【特許文献】
【０００６】
【特許文献１】特開2000-247082号公報
【考案の概要】
【考案が解決しようとする課題】
【０００７】
本考案は、机上に置いた名刺入れの外面に載せた受領名刺が位置ずれ、滑り落ち、落下を起こさず、名刺入れの外面に受領名刺を安定して保持できる名刺入れを提供することを目的とする。
【課題を解決するための手段】
【０００８】
本考案は、１枚以上の名刺を収納する収納部と、収納部から名刺を取り出すための開口部と、開口部が露出するのを防止する被覆部と、を有し、被覆部と収納部が開閉可能に連結された折り畳み式の名刺入れであって、面会者から受け取った受領名刺を保持するための保持具を被覆部の外面に設けた名刺入れである。
その保持具として、下記(A)〜(E)のいずれかの構成を有するものを、被覆部の外面に設けることが好ましい。
【０００９】
(A)保持具を３角形状として収納部の外面の角部に設け、保持具の１辺を開放して受領名刺の挿入を可能とし、他の２辺を収納部の外縁に固定する。
(B)保持具を帯形状として収納部の外面の角部に設け、保持具の幅方向の両端部を開放して受領名刺の挿入を可能とし、保持具の長手方向の両端部を収納部の外縁に固定する。
(C)保持具を帯形状として収納部の外面の端部全長に設け、保持具の幅方向の片端部を開放して受領名刺の挿入を可能とし、保持具の幅方向の他端部と長手方向の両端部とを収納部の外縁に固定する。
【００１０】
(D)保持具を帯形状として先端部に磁石を装着し、被覆部の外面の磁石と対向する位置に磁着材を装着する。
(E)保持具として、弾力性を有する金属製クリップを着脱可能に被覆部の外面に装着する。
【考案の効果】
【００１１】
本考案によれば、机上に置いた名刺入れの外面に受領名刺を載せて、その位置に安定して保持できる。しかも、構成が簡素であるから、名刺入れを安価に製造することができ、産業上格段の効果を奏する。
【図面の簡単な説明】
【００１２】
【図１】本考案の名刺入れの例を模式的に示す斜視図である。
【図２】本考案の名刺入れの他の例を模式的に示す斜視図である。
【図３】本考案の名刺入れの他の例を模式的に示す斜視図である。
【図４】本考案の名刺入れの他の例を模式的に示す斜視図である。
【図５】本考案の名刺入れの他の例を模式的に示す斜視図である。
【図６】図２に示す名刺入れにて名刺を保持した例を示す斜視図である。
【図７】従来の名刺入れに名刺を載せた例を示す斜視図である。
【考案を実施するための形態】
【００１３】
図１は、本考案の名刺入れの例を模式的に示す斜視図であり、１枚以上の名刺を収納する収納部１と、収納部１から名刺を取り出すための開口部２と、開口部２が露出するのを防止する被覆部３と、を有し、被覆部３と収納部１が開閉可能に連結された折り畳み式（いわゆる２つ折り）の名刺入れである。その名刺入れを、図１に示すように、折り畳んだ状態で、被覆部３の外面に受領名刺を保持するための保持具４を設け、その保持具４によって受領名刺の位置ずれ、滑り落ち、落下を防止する。
【００１４】
名刺入れの素材は特に限定せず、皮革や布等の従来から知られている素材を使用する。ただし、机上に置いた名刺入れの上（すなわち被覆部３の外面）に載せた受領名刺の位置ずれ、滑り落ち、落下を防止する観点から、少なくとも被覆部３の外面は皮革を用いて滑り難くすることが好ましい。
保持具４の素材は、受領名刺を被覆部３の外面に安定して保持する観点から、皮革あるいは金属を用いることが好ましい。皮革は手触りが良く、しかも柔軟性を有するので、保持具４として有用な素材である。金属の保持具４を用いる場合は、弾力を有するとともに、変形、変色、腐食を起こさない材料（たとえばステンレス鋼薄板、アルミ薄板等）を選択する。あるいは、デザインを重視する場合は、染色や模様を容易に施すことが可能な布製の保持具４を用いても良い。また、上記した皮革あるいは金属の保持具４に装飾を施すことも可能である。
【００１５】
以下では、まず図１に示す本考案の名刺入れの例について具体的に説明した後、さらに図２〜５に示す本考案の名刺入れについて順次説明する。
図１(a)は、３角形の保持具４を、被覆部３の外面の角部に設けた例である。この例では保持具４の３辺のうちの１辺4aを開放し、他の２辺4bを被覆部４の外縁に固定する。以下では、開放された辺4aを開放辺と記し、固定された辺4bを固定辺と記す。
【００１６】
つまり受領名刺（図示せず）を開放辺4aから挿入して固定辺4bに当接させることによって、被覆部３と保持具４との隙間で受領名刺を挟持する。その結果、受領名刺の位置ずれ、滑り落ち、落下を防止できる。
保持具４は、必ずしも３角形とする必要はなく、開放辺4aを図１(b)に示すような円弧状、あるいは直線や曲線を組み合わせた形状（図示せず）にしても良い。また、図１(a)(b)は被覆部３の外面の１ケ所に保持具４を設ける例であるが、図１(c)に示すように２ケ所に設けても良い。
【００１７】
図２は帯形状の保持具４を、被覆部３の外面の角部に設けた例である。この例では保持具４の幅方向の両端部を開放辺4aとし、長手方向の両端部を固定辺4bとする。つまり２つの開放辺4aのうち広い方の開放辺から受領名刺を挿入し、狭い方の開放辺を通り過ぎて固定辺4bに当接させることによって、受領名刺を被覆部３と保持具４との隙間で挟持する。その結果、受領名刺の位置ずれ、滑り落ち、落下を防止できる。なお、図２には被覆部３の外面の１ケ所に保持具４を設ける例を示したが、２ケ所に帯形状の保持具４を設けても良い。
【００１８】
図３は帯形状の保持具４を、被覆部３の外面の端部全長に設けた例である。この例では保持具４の幅方向の片端部を開放辺4aとし、幅方向の他端部と長手方向の両端部を固定辺4bとする。つまり受領名刺を開放辺4aから挿入して固定辺4bに当接させることによって、被覆部３と保持具４との隙間で受領名刺を挟持する。その結果、受領名刺の位置ずれ、滑り落ち、落下を防止できる。なお、図３には被覆部３の外面の長辺側に保持具４を設ける例を示したが、短辺側に帯形状の保持具４を設けても良い。
【００１９】
図４は保持具４を帯形状とし、その先端部に磁石５を装着した例である。この例では被覆部３の外面の磁石と対向する位置に磁着材（図示せず）を装着する。つまり磁石５を装着した保持具４を、被覆部３の外面の磁着材に吸着させて、その磁力で受領名刺を挟持する。その結果、受領名刺の位置ずれ、滑り落ち、落下を防止できる。この例では、保持具４と名刺入れが分離する構成であっても、磁力によって受領名刺を挟持することができる。しかし保持具４の紛失を防止する観点から、保持具４を帯形状として名刺入れに連結することが好ましい。
【００２０】
その場合は、図４に示すように、保持具４の磁石を装着していない後端部を収納部１の背面に固定して、磁石５を装着した先端部が被覆部３の外面まで届くような構成にすれば良い。あるいは、保持具４の後端部を被覆部３の外縁や背面に固定しても良い。なお、図４には被覆部３の短辺側に保持具４を設ける例を示したが、長辺側に帯形状の保持具４を設けても良い。
【００２１】
また図４の例では、磁石と磁着材の配置は、上記した組み合わせに限定する必要はなく、帯形状の保持具４の先端部に磁着材を装着し、被覆部３の外面に磁石を装着しても良い。あるいは、保持具４の先端部と被覆部３の外面の両方に磁石を装着しても良い。その場合は、Ｎ極とＳ極が対向するように２つの磁石を装着する必要がある。
図５(a)は保持具として、弾力性を有する金属製クリップ６（図５(b)参照）を着脱可能に被覆部の外面に装着した例である。この例では、図５(a)に示すように、金属製クリップ６が収納部１の背面から被覆部３の外面まで届くような構成にして、金属製クリップ６の弾力で受領名刺を挟持する。あるいは、金属製クリップ６が被覆部３の背面から外面まで届くような構成にしても良い。なお、図５(a)には被覆部３の短辺側に金属製クリップ６を設ける例を示したが、長辺側に金属製クリップ６を設けても良い。
【００２２】
図５の例では、保持具として棒状の金属製クリップ６を使用すると、受領名刺に傷や窪みが生じる惧れがあるので、図５(b)に示すような板状の金属製クリップ６が好ましい。そして、その先端部を上方に反るように加工すれば、受領名刺を容易に挿入できる。金属製クリップ６は、弾力を有するとともに、変形、変色、腐食を起こさない材料（たとえばステンレス鋼薄板、アルミ薄板等）を選択する。なお、図５(a)には被覆部３の短辺側に金属製クリップ６を装着する例を示したが、長辺側に金属製クリップ６を装着しても良い。
【００２３】
この金属製クリップ６は、単体で、マネークリップとして使用することも可能であり、利便性に優れている。
なお、以上ではビジネスの慣習に則り、被覆部３の外面にて受領名刺を保持する名刺入れについて説明したが、収納部１の外面に保持具４を設けても良い。
【実施例】
【００２４】
本考案者は、図２に示す本考案の名刺入れの保持具４に名刺７を挿入して机上に置き、通常の社内業務を２時間行なった。その後、名刺７の位置を確認したところ、図６に示すように被覆部３の外面に安定して保持されていた。なお、この机上のテストで使用した名刺入れは、収納部１、被覆部３、保持具４をいずれも皮革で製作したものである。
また、保持具４を備えていない従来の名刺入れに名刺７を載せて机上に置き、通常の社内業務を２時間行なった。その後、名刺７の位置を確認したところ、図７に示すように被覆部３の外面上で位置がずれていた。この名刺入れは、収納部１と被覆部３を皮革で製作したものである。
【００２５】
このようにして、本考案の名刺入れは、社外で行なう商談においても、面会者から受け取った受領名刺を被覆部の外面に安定して保持できることが確かめられた。
【符号の説明】
【００２６】
１  収納部
２  開口部
３  被覆部
４  保持具
4a  開放辺
4b  固定辺
５  磁石
６  金属製クリップ
７  名刺
【図１】
0003183371.tif 000003
【図２】
0003183371.tif 000004
【図３】
0003183371.tif 000005
【図４】
0003183371.tif 000006
【図５】
0003183371.tif 000007
【図６】
0003183371.tif 000008
【図７】
0003183371.tif 000009